(57)【特許請求の範囲】
【請求項１】
一端部が開口する箱形のハウジングに、プラグコンタクトを該ハウジングの壁面から該開口に向かって突出して該ハウジング内に設けるとともに、前記ハウジングの開口側に摩擦抵抗の少ない材料から成る円柱形状を為し前記プラグコンタクトの延長線上に位置するガイドピンを設けて成る雄コネクタと、
一端が開口する箱形のハウジングに、ジャックコンタクトを該ハウジングの壁面から該開口に向かって突出して該ハウジング内に突出して設けるとともに、前記ハウジング内のジャックコンタクトに前記ガイドピンと前記プラグコンタクトとの嵌入部を設けて成る雌コネクタと
で構成され、
前記プラグコンタクトの幅は、前記ガイドピンと前記プラグコンタクトとの嵌入部の間隔より大きく、
前記ガイドピンと前記プラグコンタクトとの嵌入部は、二股形状を為す接触子を備え、両接触子は近接離間し得るバネ弾性を有し、
前記両接触子は、前記ジャックコンタクトが突出する前記ハウジングの壁面側に位置するガイドピン嵌合部と、このガイドピン嵌合部に連接するコンタクト接合部とを備え、
前記ガイドピン嵌合部と前記コンタクト接合部との間には、前記ガイドピンの直径より小さい間隔で突起部が対向配置され、前記コンタクト接合部の先端部位には、前記プラグコンタクトの側壁部と当接する接触面が対向配置され、
前記雄コネクタは、前記プラグコンタクトが突出する前記ハウジングの壁面に、前記ジャックコンタクトの両接触子を該プラグコンタクトの側壁側へ案内する２つのガイド突起を設け、
前記雄コネクタと前記雌コネクタとは、雌コネクタのハウジングが雄コネクタのハウジングに嵌入し、雌コネクタの嵌合部のコンタクト接合部がガイドピンの両側に位置し、雌コネクタを雄コネクタ方向へ押し込んでいくと、ガイドピンがコンタクト接合部に隣接する突起部に当接し始め、次いでガイドピンが突起部を外方へ押しやり、コンタクト接合部の接触面の間隔を拡げ、プラグコンタクトの先端部がコンタクト接合部の接触面の間に位置し、次いでガイドピンが突起を乗り越えて、ガイドピン嵌合部内に嵌入し、コンタクト接合部の接触面が嵌入部の復元力によりプラグコンタクトの側面側へ移動し、両接触子の先端部の接触面が雄コネクタの壁面に設けた２つのガイド突起により両接触子をプラグコンタクトへ押し付けられることによって結合する
ことを特徴とする電気コネクタ。
【発明の詳細な説明】
【０００１】
【発明の属する技術分野】
本発明は、雄コネクタと雌コネクタとで構成される電気コネクタに関する。
【０００２】
【従来の技術】
電気コネクタは、雄コネクタと雌コネクタにコンタクト部を設け、両者を接続することによって、電力や信号などを通電する構造となっている。
図４は、従来の電気コネクタを示す。
雄コネクタ１は、プラグハウジング２を介してプリント基板３に取り付けられている。プラグハウジング２には、プラグコンタクト４が設けられている。
雌コネクタ５は、ジャックハウジング６を介してプリント基板７に取り付けられている。ジャックハウジング６には、ジャックコンタクト８が設けられている。ジャックコンタクト８は、先端部に接触部９が形成されている。
【０００３】
このように構成された従来の電気コネクタは、例えば雄コネクタ１を矢印方向に移動してプラグコンタクト４をジャックコンタクト８の接触部９に圧入することによって、プラグコンタクト４とジャックコンタクト８とを接続するようになっている。
【０００４】
【発明が解決しようとする課題】
しかし、従来の電気コネクタでは、雄コネクタ１と雌コネクタ５との接続時に、プラグコンタクト４がジャックコンタクト８の接触部９内に嵌入し始めた時点から嵌合が完了するまで、プラグコンタクト４は接触部９による摩擦抵抗を受け続ける。
その結果、プラグコンタクト４のジャックコンタクト８への挿入および引き抜き時の摩擦抵抗による負荷が大きく、嵌合に大きな力を要する。
【０００５】
また、挿入および引き抜き時にプラグコンタクト４およびジャックコンタクト８が摩耗し、品質を低下するおそれがある。
また、嵌合時の力がプリント基板３，７に直接影響し、反り、撓みなどからプリント基板３，７の品質を低下させるおそれがある。
また、雄コネクタ１と雌コネクタ５とが確実に嵌合したか否かが分かり難い。
【０００６】
本発明は斯かる従来の問題点を解決するために為されたもので、その目的は、嵌合時の摩擦抵抗を小さくするとともに確実な嵌合を可能とした電気コネクタを提供することにある。
【０００７】
【課題を解決するための手段】
請求項１に係る発明は、一端部が開口する箱形のハウジングに、プラグコンタクトを該ハウジングの壁面から該開口に向かって突出して該ハウジング内に設けるとともに、前記ハウジングの開口側に摩擦抵抗の少ない材料から成る円柱形状を為し前記プラグコンタクトの延長線上に位置するガイドピンを設けて成る雄コネクタと、一端が開口する箱形のハウジングに、ジャックコンタクトを該ハウジングの壁面から該開口に向かって突出して該ハウジング内に突出して設けるとともに、前記ハウジング内のジャックコンタクトに前記ガイドピンと前記プラグコンタクトとの嵌入部を設けて成る雌コネクタとで構成され、前記プラグコンタクトの幅は、前記ガイドピンと前記プラグコンタクトとの嵌入部の間隔より大きく、前記ガイドピンと前記プラグコンタクトとの嵌入部は、二股形状を為す接触子を備え、両接触子は近接離間し得るバネ弾性を有し、前記両接触子は、前記ジャックコンタクトが突出する前記ハウジングの壁面側に位置するガイドピン嵌合部と、このガイドピン嵌合部に連接するコンタクト接合部とを備え、前記ガイドピン嵌合部と前記コンタクト接合部との間には、前記ガイドピンの直径より小さい間隔で突起部が対向配置され、前記コンタクト接合部の先端部位には、前記プラグコンタクトの側壁部と当接する接触面が対向配置され、前記雄コネクタは、前記プラグコンタクトが突出する前記ハウジングの壁面に、前記ジャックコンタクトの両接触子を該プラグコンタクトの側壁側へ案内する２つのガイド突起を設け、前記雄コネクタと前記雌コネクタとは、雌コネクタのハウジングが雄コネクタのハウジングに嵌入し、雌コネクタの嵌合部のコンタクト接合部がガイドピンの両側に位置し、雌コネクタを雄コネクタ方向へ押し込んでいくと、ガイドピンがコンタクト接合部に隣接する突起部に当接し始め、次いでガイドピンが突起部を外方へ押しやり、コンタクト接合部の接触面の間隔を拡げ、プラグコンタクトの先端部がコンタクト接合部の接触面の間に位置し、次いでガイドピンが突起を乗り越えて、ガイドピン嵌合部内に嵌入し、コンタクト接合部の接触面が嵌入部の復元力によりプラグコンタクトの側面側へ移動し、両接触子の先端部の接触面が雄コネクタの壁面に設けた２つのガイド突起により両接触子をプラグコンタクトへ押し付けられることによって結合することを特徴とする。
【００１２】
【発明の実施の形態】
以下、本発明を図面に示す実施形態に基づいて説明する。
図１ないし図３は、本発明の一実施形態に係る電気コネクタ１０を示す。
本実施形態に係る電気コネクタ１０は、プリント基板１３に取り付けられた雄コネクタ２０と、プリント基板１５に取り付けられた雌コネクタ３０とで構成されている。雄コネクタ２０と雌コネクタ３０とは、雌コネクタ３０のハウジング３１を雄コネクタ２０のハウジング２１内に嵌入することによって結合されるようになっている。
【００１３】
雄コネクタ２０は、一端部が開口する箱形の樹脂製のハウジング２１に、先端部が面取りをされた平板から成るプラグコンタクト２２が、ハウジング２１内に突出するように一体的に設けてある。そして、ハウジング２１の開口２１ａ側には、円柱形状のガイドピン２３が一体的に設けてある。
ガイドピン２３は、プラグコンタクト２２の延長線上に位置している。ガイドピン２３は、樹脂材で構成されているので、摩擦抵抗が少なくなっている。
【００１４】
ハウジング２１は、開口２１ａと反対側の壁面２１ｂ（すなわち、プラグコンタクト２２が突出するハウジング２１の壁面２１ｂ）に、ジャックコンタクト３２の両接触子３３ａ，３３ｂをプラグコンタクト２２の側壁２２ａ，２２ｂ側へ案内する２つのガイド突起２４を設けている。
雌コネクタ３０は、一端が開口する箱形の樹脂製のハウジング３１に、ジャックコンタクト３２が、ハウジング３１内に突出するように一体的に設けてある。そして、ハウジング３１内のジャックコンタクト３２にガイドピン２３とプラグコンタクト２２との嵌入部３３を設けている。
【００１５】
ジャックコンタク２２の嵌入部３３は、二股形状を為す接触子３３ａ，３３ｂを備え、両接触子３３ａ，３３ｂは近接離間し得るバネ弾性を有する。
両接触子３３ａ，３３ｂは、ジャックコンタクト３２が突出するハウジング３１の壁面３１ａ側に位置し、ハウジング３１のガイドピン２３を嵌入させるガイドピン嵌合部３４と、このガイドピン嵌合部３４に連接し、プラグコンタクト２２と面接触するコンタクト接合部３５とを備えている。ガイドピン嵌合部３４は、ガイドピン２３と同等またはやや大きめの外径を有する。
【００１６】
ガイドピン嵌合部３４とコンタクト接合部３５との間には、ガイドピン２３の直径Ｄより小さい間隔Ｗ１で突起部３６ａ，３６ｂが対向配置されている。
コンタクト接合部３５の先端部位には、プラグコンタクト２２の側壁２２ａ，２２ｂと当接する接触面３７ａ，３７ｂが対向配置されている。
コンタクト接合部３５の間隔Ｗ２は、プラグコンタクト２２の幅ＷＡより小さくしてある。
【００１７】
次に、斯くして構成された本実施形態に係る電気コネクタ１０の作用を説明する。
先ず、図１，図２に示すように、雄コネクタ２０と雌コネクタ３０とを両者の開口を対向して配する。
そして、例えば、雌コネクタ３０を雄コネクタ２０に向かって移動すると、雌コネクタ３０のハウジング３１が雄コネクタ２０のハウジング２１に嵌入し始める。この時点で、雌コネクタ３０の嵌合部３３のコンタクト接合部３５がガイドピン２３の両側に位置する。
【００１８】
さらに、雌コネクタ３０を雄コネクタ２０方向へ押し込んでいくと、ガイドピン２３がコンタクト接合部３５に隣接する突起部３６ａ，３６ｂに当接し始める。
さらに、雌コネクタ３０を雄コネクタ２０方向へ押し込んでいくと、ガイドピン２３が突起３６ａ，３６ｂを外方へ押しやり、コンタクト接合部３５の接触面３７ａ，３７ｂの間隔を拡げる。その時点で、プラグコンタクト２２の先端部がコンタクト接合部３５の接触面３７ａ，３７ｂの間に位置する。
【００１９】
さらに、雌コネクタ３０を雄コネクタ２０方向へ押し込んでいくと、ガイドピン２３が突起３６ａ，３６ｂを乗り越えて、ガイドピン嵌合部３４内に嵌入する。これにより、コンタクト接合部３５の接触面３７ａ，３７ｂが嵌入部３３の復元力によりプラグコンタクト２２の側面２２ａ，２２ｂ側へ移動する。同時に、両接触子３３ａ，３３ｂの先端部の接触面３７ａ，３７ｂが雄コネクタ２０の壁面２１ｂに設けた２つのガイド突起２４，２４により両接触子３３ａ，３３ｂをプラグコンタクト２２へ押し付けられる。
【００２０】
斯くして、図３に示すように、雄コネクタ２０と雌コネクト３０との接続が完了する。
以上のように、本実施形態によれば、雄コネクタ２０と雌コネクト３０との嵌合時に生じる摩擦の負荷を無くし、プラグコンタクト２２とジャックコンタクト３２の摩耗や、プリント基板１３，１５にかかる反り、撓みなどを防止し、プラグコンタクト２２、ジャックコンタクト３２およびプリント基板１３，１５の品質が向上する。
【００２１】
また、プラグコンタクト２２とジャックコンタクト３２との接触面を従来より大きく取れ、電気的接触抵抗の上昇が図れる。
また、ガイドピン２３が雌コネクタ３０のガイドピン嵌合部３４に填り込むので、確実な嵌合が形成できる。
なお、上記実施形態では、１つの雄コネクタ２０と１つの雌コネクタ３０とを接続する場合について説明したが、本発明は、これらを複数連接した電気コネクタにも当然に適用できる。
【００２２】
【発明の効果】
以上のように、本発明によれば、雄コネクタにガイドピンを設け、雌コネクタにガイドピンによって開閉する嵌入部を設けたので、嵌合時の摩擦抵抗を小さくするとともに確実な嵌合が可能となった。
【図面の簡単な説明】
【図１】本発明の一実施形態に係る電気コネクタの分解斜視図である。
【図２】図１の電気コネクタの接続前の断面図である。
【図３】図１の電気コネクタの接続後の断面図である。
【図４】従来の電気コネクタの要部を示す断面図である。
【符号の説明】
１０  電気コネクタ
１３，１５  プリント基板
２０  雄コネクタ
２１，３１  ハウジング
２１ａ  開口
２１ｂ，３１ａ  壁面
２２  プラグコンタクト
２２ａ，２２ｂ  側壁
２３  ガイドピン
３０  雌コネクタ
３２  ジャックコンタクト
３３  嵌入部
３３ａ，３３ｂ  接触子
３４  ガイドピン嵌合部
３５  コンタクト接合部
３６ａ，３６ｂ  突起部
３７ａ，３７ｂ  接触面
【図１】
0003790450.tif 000002
【図２】
0003790450.tif 000003
【図３】
0003790450.tif 000004
【図４】
0003790450.tif 000005